(57)【要約】【課題】放送信号をＡＤ変換して収録する際に、収録する放送信号の出力レベルがＡＤ変換のダイナミックレンジを超えないように自動的に調整し、また再生時には出力レベル調整前の出力レベルに戻すことで、放送信号の収録再生を精度高く行う。【解決手段】信号の収録時は、信号受信部１１で受信した信号の出力レベルを出力レベル設定部１２で検出し、出力レベルがＡＤ変換部１５のダイナミックレンジを超えないように収録信号増幅部１３で出力レベルを調整し、信号および信号の調整量である収録信号増幅部１３の利得をそれぞれの周波数特性に適したサンプリングクロックでＡＤ変換して記録部１１０に収録する。信号の再生時は、記録部１１０に記録した信号および利得をそれぞれの周波数特性に適したサンプリングクロックでＤＡ変換し、収録した信号の出力レベルを利得に基づいて再生信号増幅部２２で調整前の出力レベルに戻す。【選択図】図１
2008227874.tif 000002
【特許請求の範囲】
【請求項１】
無線周波数信号をＡＤ変換し収録するとともに、収録した前記無線周波数信号をＤＡ変換し再生する信号収録再生装置であって、
前記無線周波数信号を収録する際は、受信した前記無線周波数信号の出力レベルを検出し、収録する前記無線周波数信号の前記出力レベルが前記ＡＤ変換のダイナミックレンジを超えないように前記出力レベルを調整し、前記出力レベルを調整した前記無線周波数信号および前記出力レベルの調整量をそれぞれ所定の基準信号により生成した第一のサンプリングクロック信号および前記第一のサンプリングクロック信号を分周して生成した第二のサンプリングクロック信号でＡＤ変換して前記基準信号とともに収録し、
収録した前記無線周波数信号を再生する際は、収録した前記無線周波数信号および前記調整量をそれぞれ前記基準信号に基づいて生成した前記第一のサンプリングクロック信号および前記第一のサンプリングクロック信号を分周して生成した前記第二のサンプリングクロック信号に基づいてＤＡ変換し、前記調整量に基づいて前記無線周波数信号の前記出力レベルを前記調整前の前記出力レベルに戻して再生することを特徴とする信号収録再生装置。
【請求項２】
無線周波数信号を受信する信号受信部と、前記信号受信部で受信した前記無線周波数信号の出力レベルを検出し、前記出力レベルに基づいて前記無線周波数信号を増幅する際の利得を算出する出力レベル設定部と、前記出力レベル設定部が算出した前記利得に基づいて前記無線周波数信号を増幅する収録信号増幅部と、前記収録信号増幅部で増幅した前記無線周波数信号の周波数変換を行う収録信号周波数変換部と、を有する収録信号処理部と、
前記収録信号周波数変換部で周波数変換した前記無線周波数信号および前記出力レベル設定部が算出した前記利得をそれぞれ所定の基準信号に基づいて生成した第一のサンプリングクロック信号および前記第一のサンプリングクロック信号を分周して生成した第二のサンプリングクロック信号でＡＤ変換するＡＤ変換部と、前記ＡＤ変換部でＡＤ変換した前記無線周波数信号および前記利得と前記基準信号とを収録データとして出力する収録制御部と、を有する収録部と、
前記収録制御部が出力した前記収録データを記録する記録部と、
を備えた信号収録部と、
前記記録部に記録された前記収録データを読み出し、前記無線周波数信号および前記利得および前記基準信号に分離する再生制御部と、前記再生制御部が分離した前記無線周波数信号および前記利得をそれぞれ前記基準信号に基づいて生成した前記第一のサンプリングクロック信号および前記第一のサンプリングクロック信号を分周して生成した前記第二のサンプリングクロック信号に基づいてＤＡ変換するＤＡ変換部と、を有する再生部と、
前記ＤＡ変換部でＤＡ変換された前記利得に基づいて前記ＤＡ変換部でＤＡ変換された前記無線周波数信号を増幅する再生信号増幅部と、前記再生信号増幅部で増幅された前記無線周波数信号の周波数変換を行う再生信号周波数変換部と、を有する再生信号処理部と、
を備えた信号再生部と、
を備えたことを特徴とする信号収録再生装置。
【請求項３】
前記出力レベル設定部は、前記収録信号周波数変換部で周波数変換した前記無線周波数信号の出力レベルが前記ＡＤ変換部のダイナミックレンジを超えないように前記利得を設定することを特徴とする請求項２に記載の信号収録再生装置。
【請求項４】
前記再生信号増幅部は、増幅後の前記無線周波数信号の出力レベルが前記収録信号増幅部に入力される前記無線周波数信号の入力レベルと等しくなるように前記無線周波数信号の増幅を行うことを特徴とする請求項２または３に記載の信号収録再生装置。
【請求項５】
前記第二のサンプリングクロック信号は前記第一のサンプリングクロック信号に同期して出力されることを特徴とする請求項２〜４のいずれか１項に記載の信号収録再生装置。
【発明の詳細な説明】
【技術分野】
【０００１】
本発明は、信号収録再生装置に関するものである。
【背景技術】
【０００２】
さまざまな放送信号に対して開発された受信機の性能評価を行うにあたって、特に受信機を車載する場合、車両の移動環境下におけるフィールドテストは重要な項目である。しかしながら、このフィールドテストは準備や評価に膨大な時間と工数を必要とし、さらに同様のフィールドテストを行った場合でも再現性が保たれにくく、同様の評価結果が得られない場合がある、という問題点があった。この問題を解決するために、一度移動環境下で放送信号を取得すれば、実験室において移動環境下での放送信号を同一に再現することが可能な信号収録再生装置が提案されている（特許文献１、２）。
【特許文献１】特開平６−２６５５８７号公報
【特許文献２】特開平１１−１８３５４４号公報
【発明の開示】
【発明が解決しようとする課題】
【０００３】
ところで、このような信号収録再生装置では、放送信号をＡＤ変換して収録するのが一般的であるが、放送信号の出力レベルがＡＤ変換のダイナミックレンジを超えてしまうとＡＤ変換値が飽和状態となり原信号を忠実に収録できなくなってしまう。このため、放送信号を収録する際は、放送信号の出力レベルを検出し、検出した出力レベルがＡＤ変換のダイナミックレンジを超えないように放送信号の出力レベルを調整して調整量とともに記録し、放送信号を再生する際は、この調整量に基づいて記録した放送信号を原信号の出力レベルに戻して再生する信号収録再生装置が考えられる。
【０００４】
ところで、このような信号収録再生装置では、放送信号と放送信号の出力レベルの調整量をＡＤ変換して記録する必要があるが、高い周波数成分を有する放送信号に対し、放送信号の出力レベルの調整量は放送信号の周波数特性に合わせて変化するものではなく、放送信号に対して低い周波数成分を有する。したがって、両者を一つのサンプリング周波数でＡＤ変換する場合、放送信号の周波数成分に合わせて設定したサンプリング周波数で調整量をサンプリングすることになり、必要以上のデータを収録して記録容量を増大させてしまう、という問題点がある。また、低い周波数成分を有する調整量に対し、高い周波数成分に対するサンプリング周波数で動作する高価なＡＤ変換器およびＤＡ変換器が必要となり、コストの増加を招いてしまう、という問題点がある。
【０００５】
本発明の課題は、放送信号をＡＤ変換して収録を行う際に、受信した放送信号の出力レベルを検出し、収録する放送信号の出力レベルがＡＤ変換のダイナミックレンジを超えないように自動的に調整して放送信号と調整量をそれぞれに適したサンプリング周波数でＡＤ変換して収録し、収録した放送信号を再生する際に、それぞれのサンプリング周波数に基づいて収録した放送信号と調整量をＤＡ変換し、調整量に基づいて放送信号の出力レベルを出力レベル調整前の出力レベルに戻すことで、放送信号の収録再生を精度高く行う信号収録再生装置を提案することにある。
【課題を解決するための手段】
【０００６】
上記課題を解決するために、請求項１に記載の発明は、無線周波数信号をＡＤ変換し収録するとともに、収録した前記無線周波数信号をＤＡ変換し再生する信号収録再生装置であって、前記無線周波数信号を収録する際は、受信した前記無線周波数信号の出力レベルを検出し、収録する前記無線周波数信号の前記出力レベルが前記ＡＤ変換のダイナミックレンジを超えないように前記出力レベルを調整し、前記出力レベルを調整した前記無線周波数信号および前記出力レベルの調整量をそれぞれ所定の基準信号により生成した第一のサンプリングクロック信号および前記第一のサンプリングクロック信号を分周して生成した第二のサンプリングクロック信号でＡＤ変換して前記基準信号とともに収録し、収録した前記無線周波数信号を再生する際は、収録した前記無線周波数信号および前記調整量をそれぞれ前記基準信号に基づいて生成した前記第一のサンプリングクロック信号および前記第一のサンプリングクロック信号を分周して生成した前記第二のサンプリングクロック信号に基づいてＤＡ変換し、前記調整量に基づいて前記無線周波数信号の前記出力レベルを前記調整前の前記出力レベルに戻して再生することを特徴としている。
【０００７】
上記構成によれば、放送信号をＡＤ変換して収録する際に、収録する放送信号の出力レベルをＡＤ変換のダイナミックレンジを超えないように自動的に調整し、また再生時には出力レベル調整前の出力レベルに戻すことで、放送信号の収録再生を精度高く行うことができる。
【０００８】
また、収録する放送信号と調整量をそれぞれの周波数特性に適したサンプリングクロック信号でＡＤ変換でき、データの容量が減り、記録部の容量を削減することができる。
【０００９】
また、放送信号に対し調整量の周波数成分は低いため、調整量のＡＤ変換およびＤＡ変換には高価な高周波用の素子が不要となり、コスト低減を図ることができる。
【００１０】
また、請求項２に記載の発明は、無線周波数信号を受信する信号受信部と、前記信号受信部で受信した前記無線周波数信号の出力レベルを検出し、前記出力レベルに基づいて前記無線周波数信号を増幅する際の利得を算出する出力レベル設定部と、前記出力レベル設定部が算出した前記利得に基づいて前記無線周波数信号を増幅する収録信号増幅部と、前記収録信号増幅部で増幅した前記無線周波数信号の周波数変換を行う収録信号周波数変換部と、を有する収録信号処理部と、前記収録信号周波数変換部で周波数変換した前記無線周波数信号および前記出力レベル設定部が算出した前記利得をそれぞれ所定の基準信号に基づいて生成した第一のサンプリングクロック信号および前記第一のサンプリングクロック信号を分周して生成した第二のサンプリングクロック信号でＡＤ変換するＡＤ変換部と、前記ＡＤ変換部でＡＤ変換した前記無線周波数信号および前記利得と前記基準信号とを収録データとして出力する収録制御部と、を有する収録部と、前記収録制御部が出力した前記収録データを記録する記録部と、を備えた信号収録部と、前記記録部に記録された前記収録データを読み出し、前記無線周波数信号および前記利得および前記基準信号に分離する再生制御部と、前記再生制御部が分離した前記無線周波数信号および前記利得をそれぞれ前記基準信号に基づいて生成した前記第一のサンプリングクロック信号および前記第一のサンプリングクロック信号を分周して生成した前記第二のサンプリングクロック信号に基づいてＤＡ変換するＤＡ変換部と、を有する再生部と、前記ＤＡ変換部でＤＡ変換された前記利得に基づいて前記ＤＡ変換部でＤＡ変換された前記無線周波数信号を増幅する再生信号増幅部と、前記再生信号増幅部で増幅された前記無線周波数信号の周波数変換を行う再生信号周波数変換部と、を有する再生信号処理部と、を備えた信号再生部と、を備えたことを特徴としている。
【００１１】
また、請求項３に記載の発明は、請求項２において、前記出力レベル設定部は、前記収録信号周波数変換部で周波数変換した前記無線周波数信号の出力レベルが前記ＡＤ変換部のダイナミックレンジを超えないように前記利得を設定することを特徴としている。
【００１２】
また、請求項４に記載の発明は、請求項２または３において、前記再生信号増幅部は、増幅後の前記無線周波数信号の出力レベルが前記収録信号増幅部に入力される前記無線周波数信号の入力レベルと等しくなるように前記無線周波数信号の増幅を行うことを特徴としている。
【００１３】
また、請求項５に記載の発明は、請求項２〜４のいずれか１項において、前記第二のサンプリングクロック信号は前記第一のサンプリングクロック信号に同期して出力されることを特徴としている。
【００１４】
上記構成によれば、放送信号をＡＤ変換して収録する際に、収録する放送信号の出力レベルをＡＤ変換のダイナミックレンジを超えないように自動的に調整し、また再生時には出力レベル調整前の出力レベルに戻すことで、放送信号の収録再生を精度高く行うことができる。
【００１５】
また、収録する放送信号と利得をそれぞれの周波数特性に適したサンプリングクロック信号でＡＤ変換でき、データの容量が減り、記録部の容量を削減することができる。
【００１６】
また、放送信号に対し利得の周波数成分は低いため、利得のＡＤ変換およびＤＡ変換には高価な高周波用の素子が不要となり、コスト低減を図ることができる。
【発明の効果】
【００１７】
放送信号をＡＤ変換して収録を行う際に、受信した放送信号の出力レベルを検出し、収録する放送信号の出力レベルがＡＤ変換のダイナミックレンジを超えないように自動的に調整して放送信号と調整量をそれぞれに適したサンプリング周波数でＡＤ変換して収録し、収録した放送信号を再生する際に、それぞれのサンプリング周波数に基づいて収録した放送信号と調整量をＤＡ変換し、調整量に基づいて放送信号の出力レベルを出力レベル調整前の出力レベルに戻すことで、放送信号の収録再生を精度高く行うことができる。
【発明を実施するための最良の形態】
【００１８】
以下、本発明の実施形態を図面に従って説明する。
【００１９】
図１に本発明の実施形態の概要のブロック図を示す。
【００２０】
本発明の実施形態における信号収録再生装置は、信号収録部１００と信号再生部２００とを備えている。
【００２１】
信号収録部１００は、受信アンテナ１０１、収録信号処理部１０２、収録部１０３、記録部１１０を備えている。
【００２２】
受信アンテナ１０１で受信された放送信号は、受信信号ＳＲ０１として収録信号処理部１０２に入力される。
【００２３】
収録信号処理部１０２は、収録信号処理部１０２が出力する収録信号ＳＲ０２が収録部１０３で行うＡＤ変換（後述）のダイナミックレンジを超えない出力レベルとなるように、受信信号ＳＲ０１の出力レベルを調整する出力レベル制御を行うとともに、無線周波数の信号処理で一般的である中間周波数への周波数変換（後述）を行う。また、出力レベル制御のための制御信号を収録利得制御信号ＳＲ０３として出力する。
【００２４】
収録部１０３は、収録信号処理部１０２から出力された収録信号ＳＲ０２および収録利得制御信号ＳＲ０３を取り込んで、それぞれに適したサンプリングクロック信号でＡＤ変換を行い、収録データＳＲ０４として記録部１１０に記録する。
【００２５】
信号再生部２００は、再生部２０１、再生信号処理部２０２を備えている。
【００２６】
再生部２０１は、記録部１１０に記録された収録データＳＲ０４を再生データＳＰ０１として読み込んで収録信号ＳＲ０２および収録利得制御信号ＳＲ０３を分離し、それぞれに適したサンプリングクロック信号でＤＡ変換して再生ＩＦ信号ＳＰ０２および再生利得制御信号ＳＰ０３として再生信号処理部２０２に出力する。
【００２７】
再生信号処理部２０２は、再生利得制御信号ＳＰ０３に基づいて再生ＩＦ信号ＳＰ０２の出力レベルを出力レベル調整前の出力レベルに戻すとともに、無線周波数の信号処理で一般的である高周波への周波数変換（後述）を行い、再生ＲＦ信号ＳＰ０４として出力する。
【００２８】
再生信号処理部２０２から出力された再生ＲＦ信号ＳＰ０４は、被試験受信機３００に入力され、評価試験が行われる。
【００２９】
次に、図２〜図５により、本実施形態の詳細な説明を行う。
【００３０】
まず、放送信号を取り込んで、放送信号の出力レベルをＡＤ変換のダイナミックレンジを超えないように自動的に調整し記録する信号の記録動作について説明を行う。
【００３１】
図２に、収録信号処理部１０２の詳細なブロック図を示す。
【００３２】
収録信号処理部１０２は、受信アンテナ１０１、バンドパスフィルタ１１１（図２ではＢＰＦ１１１と記載）、増幅部１１２で構成される信号受信部１１と、出力レベル検出部１１３、出力レベル制御部１１４で構成される出力レベル設定部１２と、可変利得増幅部１１５、バンドパスフィルタ１１６（図２ではＢＰＦ１１６と記載）で構成される収録信号増幅部１３と、周波数変換部１１７、バンドパスフィルタ１１８（図２ではＢＰＦ１１８と記載）、増幅部１１９、ローパスフィルタ１１Ａ（図２ではＬＰＦ１１Ａと記載）で構成される収録信号周波数変換部１４とを備えている。
【００３３】
受信アンテナ１０１で受信された放送信号は、受信信号ＳＲ０１としてバンドパスフィルタ１１１に入力されて不要な周波数帯域がカットされ、帯域制限されたＲＦ信号ＳＲ１１として出力される。
【００３４】
ＲＦ信号ＳＲ１１は、増幅部１１２に入力されて所定の信号増幅が行われ、ＲＦ信号ＳＲ１２として出力される。
【００３５】
ＲＦ信号ＳＲ１２は、可変利得増幅部１１５に入力されると共に、出力レベル検出部１１３に入力される。
【００３６】
出力レベル検出部１１３は、入力されたＲＦ信号ＳＲ１２の出力レベルを検出し、検出した出力レベルを示す出力レベル信号ＳＲ１３を出力する。
【００３７】
出力レベル信号ＳＲ１３は、出力レベル制御部１１４に入力される。出力レベル制御部１１４は、ＲＦ信号ＳＲ１２を可変利得増幅部１１５で増幅した際に、収録信号周波数変換部１４が出力する収録信号ＳＲ０２の出力レベルが後述する収録部１０３のＡＤ変換部１１Ｂのダイナミックレンジを超えないように出力レベル信号ＳＲ１３に基づき利得制御信号ＳＲ１４を設定し、出力する。
【００３８】
利得制御信号ＳＲ１４は、可変利得増幅部１１５に入力されるとともに、収録部１０３に入力される（後述）。可変利得増幅部１１５は、利得制御信号ＳＲ１４に基づいてＲＦ信号ＳＲ１２の増幅または減衰を行い、ＲＦ信号ＳＲ１５として出力する。出力されたＲＦ信号ＳＲ１５は、収録信号周波数変換部１４が出力する収録信号ＳＲ０２の出力レベルが収録部１０３のＡＤ変換部１１Ｂのダイナミックレンジを超えないように増幅または減衰が行われている。
【００３９】
ＲＦ信号ＳＲ１５は、バンドパスフィルタ１１６に入力されて不要な周波数帯域がカットされ、帯域制限されたＲＦ信号ＳＲ１６として出力される。
【００４０】
ＲＦ信号ＳＲ１６は、周波数変換部１１７が備えた混合器１１７Ｂに入力される。混合器１１７Ｂには、周波数変換部１１７が備えた局部発振器１１７Ａが出力する所定の発振信号ＳＲ１７も入力され、混合器１１７Ｂは発振信号ＳＲ１７に基づいてＲＦ信号ＳＲ１６の周波数変換を行い（いわゆる中間周波数変換）、ＩＦ信号ＳＲ１８として出力する。
【００４１】
ＩＦ信号ＳＲ１８は、バンドパスフィルタ１１８に入力されて周波数変換で発生した不要な雑音信号がカットされ、帯域制限されたＩＦ信号ＳＲ１９として出力される。
【００４２】
ＩＦ信号ＳＲ１９は、増幅部１１９に入力されて所定の信号増幅が行われ、ＩＦ信号ＳＲ１Ａとして出力される。
【００４３】
ＩＦ信号ＳＲ１Ａは、ローパスフィルタ１１Ａに入力されて不要な高調波がカットされ、収録信号ＳＲ０２として収録部１０３に出力される。
【００４４】
図３に、収録部１０３の詳細なブロック図を示す。
【００４５】
収録部１０３は、ＡＤ変換部１１Ｂ、ＡＤ変換部１１Ｃ、サンプリングクロック生成部１１Ｄ（図３ではＳＣＬＫ生成部１１Ｄと記載）で構成されるＡＤ変換部１５と、収録制御部１１Ｅとを備えている。
【００４６】
収録信号ＳＲ０２は、ＡＤ変換部１１Ｂに入力される。また、利得制御信号ＳＲ０３は、ＡＤ変換部１１Ｃに入力される。
【００４７】
ここで、収録制御部１１Ｅは、基準信号であるサンプリングクロック制御信号ＳＲ１Ｄ（図３ではＳＣＬＫ制御信号ＳＲ１Ｄと記載）をサンプリングクロック生成部１１Ｄに出力する。
【００４８】
サンプリングクロック生成部１１Ｄは、サンプリングクロック制御信号ＳＲ１Ｄに基づいてＡＤ変換部１１Ｂに入力するサンプリングクロック信号ＳＲ１Ｅ（図３ではＳＣＬＫ信号ＳＲ１Ｅと記載）と、ＡＤ変換部１１Ｃに入力するサンプリングクロック信号ＳＲ１Ｆ（図３ではＳＣＬＫ信号ＳＲ１Ｆと記載）とを生成する。サンプリングクロック信号ＳＲ１Ｅは、収録信号ＳＲ０２の周波数特性に適した周波数が設定されている。また、サンプリングクロック信号ＳＲ１Ｆは、利得制御信号ＳＲ０３の周波数特性に適した周波数が設定されている。
【００４９】
ここで、収録信号ＳＲ０２は高い周波数成分を有しているのに対し、利得制御信号ＳＲ０３は低い周波数成分を有しており、サンプリングクロック信号ＳＲ１Ｆは、サンプリングクロック信号ＳＲ１Ｅよりクロック速度が遅く、サンプリングクロック信号ＳＲ１Ｆを分周することで生成されている。
【００５０】
サンプリングクロック信号ＳＲ１Ｅは、ＡＤ変換部１１Ｂに入力される。また、サンプリングクロック信号ＳＲ１Ｆは、ＡＤ変換部１１Ｃに入力される。
【００５１】
ＡＤ変換部１１Ｂは、入力されたサンプリングクロック信号ＳＲ１Ｅに基づいて収録信号ＳＲ０２をサンプリングしてＡＤ変換を行い、収録信号データＳＲ１Ｂとして出力する。
【００５２】
ＡＤ変換部１１Ｃは、入力されたサンプリングクロック信号ＳＲ１Ｆに基づいて利得制御信号ＳＲ０３をサンプリングしてＡＤ変換を行い、利得制御信号データＳＲ１Ｃとして出力する。
【００５３】
収録信号データＳＲ１Ｂおよび利得制御信号データＳＲ１Ｃは、収録制御部１１Ｅに入力される。収録制御部１１Ｅは、収録信号データＳＲ１Ｂ、利得制御信号データＳＲ１Ｃ、サンプリングクロック制御信号ＳＲ１Ｄを収録データＳＲ０４として記録部１１０へ出力する。
【００５４】
記録部１１０に出力された収録データＳＲ０４は、記録部１１０に記録される。
【００５５】
なお、記録部は、ハードディスク、光学ディスク、光磁気ディスク、各種メモリカード等の公知のものを適用することができる。
【００５６】
以上が、信号の収録動作である。
【００５７】
次に、記録部１１０に記録された信号の再生動作について、説明を行う。
【００５８】
図４に、再生部２０１の詳細なブロック図を示す。
【００５９】
再生部２０１は、再生制御部２１１と、ＤＡ変換部２１２、ＤＡ変換部２１３、再生サンプリングクロック生成部２１４（図４では再生ＳＣＬＫ生成部２１４と記載）で構成されるＤＡ変換部２１とを備えている。
【００６０】
再生制御部２１１は、記録部１１０に記録された収録データＳＲ０４を再生データＳＰ０１として読み出して、収録信号データＳＲ１Ｂ、利得制御信号データＳＲ１Ｃ、サンプリングクロック制御信号ＳＲ１Ｄを分離し、それぞれを再生信号データＳＰ１１、再生利得制御信号データＳＰ１２、再生サンプリングクロック制御信号ＳＰ１３（図４では再生ＳＣＬＫ制御信号ＳＰ１３と記載）として出力する。
【００６１】
再生信号データＳＰ１１は、ＤＡ変換部２１２に入力される。
【００６２】
再生利得制御信号データＳＰ１２は、ＤＡ変換部２１３に入力される。
【００６３】
基準信号である再生サンプリングクロック制御信号ＳＰ１３は、再生サンプリングクロック生成部２１４に入力される。
【００６４】
再生サンプリングクロック生成部２１４は、再生サンプリングクロック制御信号ＳＰ１３に基づいてＤＡ変換部２１２に入力する再生サンプリングクロック信号ＳＰ１４（図４では再生ＳＣＬＫ信号ＳＰ１４と記載）と、ＤＡ変換部２１３に入力する再生サンプリングクロック信号ＳＰ１５（図４では再生ＳＣＬＫ信号ＳＰ１５と記載）とを生成する。
【００６５】
ここで、再生サンプリングクロック信号ＳＰ１４は、収録時のサンプリングクロック信号ＳＲ１Ｅと同じ信号である。また、再生サンプリングクロック信号ＳＰ１５は、収録時のサンプリングクロック信号ＳＲ１Ｆと同じ信号であり、再生サンプリングクロック信号ＳＰ１４を分周することで生成されている。
【００６６】
再生サンプリングクロック信号ＳＰ１４は、ＤＡ変換部２１２に入力される。また、再生サンプリングクロック信号ＳＰ１５は、ＤＡ変換部２１３に入力される。
【００６７】
ＤＡ変換部２１２は、入力された再生サンプリングクロック信号ＳＰ１４に基づいて再生信号データＳＰ１１のＤＡ変換を行い、再生ＩＦ信号ＳＰ０２として再生信号処理部２０２に出力する。
【００６８】
ＤＡ変換部２１３は、入力された再生サンプリングクロック信号ＳＰ１５に基づいて再生利得制御信号データＳＰ１２のＤＡ変換を行い、再生利得制御信号ＳＰ０３として再生信号処理部２０２に出力する。
【００６９】
図５に、再生信号処理部２０２の詳細なブロック図を示す。
【００７０】
再生信号処理部２０２は、ローパスフィルタ２１５（図５ではＬＰＦ２１５と記載）、再生レベル制御部２１６、可変利得増幅部２１７で構成される再生信号増幅部２２と、周波数変換部２１８、バンドパスフィルタ２１９（図５ではＢＰＦ２１９と記載）、レベル調整部２１Ａ、バンドパスフィルタ２１Ｂ（図５ではＢＰＦ２１Ｂと記載）で構成される再生信号周波数変換部２３とを備えている。
【００７１】
再生ＩＦ信号ＳＰ０２は、ローパスフィルタ２１５に入力され、不要な高調波を除去されたＩＦ信号ＳＰ１６として出力される。
【００７２】
ＩＦ信号ＳＰ１６は、可変利得増幅部２１７に入力される。
【００７３】
再生利得制御信号ＳＰ０３は、再生レベル制御部２１６に入力され、必要な信号処理が行われ、再生利得制御信号ＳＰ１７として出力される。
【００７４】
可変利得増幅部２１７は、再生利得制御信号ＳＰ１７に基づいて、収録信号増幅部１３で出力レベル調整を行う前の出力レベルに等しくなるようにＩＦ信号ＳＰ１６の増幅または減衰を行い、ＩＦ信号ＳＰ１８として出力する。
【００７５】
ＩＦ信号ＳＰ１８は、周波数変換部２１８が備えた混合器２１８Ｂに入力される。混合器２１８Ｂには、周波数変換部２１８が備えた局部発振器２１８Ａが出力する所定の発振信号ＳＰ１９も入力され、混合器２１８Ｂは発振信号ＳＰ１９に基づいてＩＦ信号ＳＰ１８の周波数変換を行い（高周波への変換）、ＲＦ信号ＳＰ１Ａとして出力する。
【００７６】
ＲＦ信号ＳＰ１Ａは、バンドパスフィルタ２１９に入力されて周波数変換で発生した不要な雑音信号がカットされ、帯域制限されたＲＦ信号ＳＰ１Ｂとして出力される。
【００７７】
ＲＦ信号ＳＰ１Ｂは、レベル調整部２１Ａに入力されて所定の出力レベルとなるように信号増幅が行われ、ＲＦ信号ＳＰ１Ｃとして出力される。
【００７８】
ＲＦ信号ＳＰ１Ｃは、バンドパスフィルタ２１Ｂに入力されて不要な帯域がカットされ、帯域制限された再生ＲＦ信号ＳＰ０４として被試験受信機３００に出力される。
【００７９】
以上が、収録した信号の再生動作である。
【００８０】
以上の動作により、放送信号をＡＤ変換して収録を行う際に、受信した放送信号の出力レベルを検出し、収録する放送信号の出力レベルがＡＤ変換のダイナミックレンジを超えないように自動的に調整して放送信号と調整量をそれぞれに適したサンプリング周波数でＡＤ変換して収録し、収録した放送信号を再生する際に、それぞれのサンプリング周波数に基づいて収録した放送信号と調整量をＤＡ変換し、調整量に基づいて放送信号の出力レベルを出力レベル調整前の出力レベルに戻すことで、放送信号の収録再生を精度高く行うことができる。
【００８１】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００８２】
例えば、収録制御部１１Ｅと再生制御部２１１を一つの制御部にする等、ブロック図は、図２〜図５に示すものに限定されるものではない。
【図面の簡単な説明】
【００８３】
【図１】本発明の実施形態における信号収録再生装置の概略のブロック図である。
【図２】本発明の実施形態における収録信号処理部のブロック図である。
【図３】本発明の実施形態における収録部のブロック図である。
【図４】本発明の実施形態における再生部のブロック図である。
【図５】本発明の実施形態における再生信号処理部のブロック図である。
【符号の説明】
【００８４】
１１  信号受信部
１２  出力レベル設定部
１３  収録信号増幅部
１４  収録信号周波数変換部
１５  ＡＤ変換部
２１  ＤＡ変換部
２２  再生信号増幅部
２３  再生信号周波数変換部
１００  信号収録部
１０１  受信アンテナ
１０２  収録信号処理部
１０３  収録部
１１０  記録部
１１１、１１６、１１８、２１９、２１Ｂ  バンドパスフィルタ
１１２、１１９増幅部
１１３  出力レベル検出部
１１４  出力レベル制御部
１１５、２１７可変利得増幅部
１１７、２１８  周波数変換部
１１７Ａ、２１８Ａ  局部発振器
１１７Ｂ、２１８Ｂ  混合器
１１Ｂ、１１Ｃ  ＡＤ変換部
１１Ｄ  サンプリングクロック生成部
１１Ｅ  収録制御部
２００  信号再生部
２０１  再生部
２０２  再生信号処理部
２１１  再生制御部
２１２、２１３  ＤＡ変換部
２１４  再生サンプリングクロック生成部
１１Ａ、２１５  ローパスフィルタ
２１６  再生レベル制御部
２１Ａ  レベル調整部
３００  被試験受信機
【図１】
2008227874.tif 000003
【図２】
2008227874.tif 000004
【図３】
2008227874.tif 000005
【図４】
2008227874.tif 000006
【図５】
2008227874.tif 000007